(57)【要約】      （修正有）【課題】自動再生式エアフィルタにおいてろ過面部の清浄更新の際に生じるろ材の捕集効率の低下を防止できるろ材再生方法を提供する。【解決手段】ろ材のろ過面部の圧損抵抗が所定値以上に上昇、若しくは所定の再生タイマーセット時間に達したら、装置本体の通風部前面側に付設したろ材再生駆動部の再生口を上下・左右に移動しながら、ろ材のろ過面部の捕集ダストを除去清掃しろ材の寿命を延ばすようにしたもので、特にろ過面部全体の捕集ダストの除去清掃を数日〜数週間に１回の割合で、再生運転、運転停止、除去清掃、運転停止、再生運転を細切れで行うことを特徴とした。【選択図】図１
2012045535.tif 000002
【特許請求の範囲】
【請求項１】
装置本体の前後方向に開口する通風部にその全面を遮るようにろ材をセットし、ろ材のろ過面部で前方から送通される汚染空気のろ過集塵を行うと共にそのろ材のろ過面部の圧損抵抗が所定値以上に上昇、若しくは所定の再生タイマーセット時間に達したら、装置本体の通風部前面側に付設したろ材再生駆動部の再生口を上下・左右に移動しながら、ろ材のろ過面部の捕集ダストを除去清掃してろ材の寿命を延ばすように構成した自動再生式エアフィルタにおいて、ろ材のろ過面部全体の捕集ダストの除去清掃を数日〜数週間に１回の割合で行うようにし、高効率で風量変動および部品消耗を抑えたことを特徴とする自動再生式エアフィルタのろ材再生方法。
【請求項２】
ろ材のろ過面部全体の捕集ダストの除去清掃を数日〜数週間に１回の割合で再生運転、運転停止、除去清掃、運転停止、再生運転を細切れで行うようにしたことで、効果として粉じん捕集率の向上と、ろ材再生駆動部の損傷削減し、部品寿命の向上、維持費削減を狙ったことを特徴とする請求項１の自動再生式エアフィルタのろ材再生方法。
【発明の詳細な説明】
【技術分野】
【０００１】  本発明は、地下街、地下鉄駅構内、デパートおよび工場などの汚染空気をろ過集塵する自動再生式エアフィルタのろ材再生方法に関するものである。
【背景技術】
【０００２】  一般に、この種の自動再生式エアフィルタは装置本体の前後方向に開口する通風部にその全面を遮るようにろ材をセットし、ろ材のろ過面部で前方から送通される汚染空気ろ過集塵を行っている。特にこうした自動再生式エアフィルタでは比較的含塵濃度の高い地下街や地下鉄駅構内、デパートおよび工場排気ガスなどの汚染空気をろ過集塵する場合、そのガス中のダストやリント量が多いことからろ材に目詰まりを起こし、ろ過面部の圧損抵抗が直ぐに上昇して通過風量の低下を招き、ろ過面部の清浄を頻繁に行わざるをえなかった。【０００３】  しかし、ろ過面部の清浄を行うと通過風量の低下を防げるが、ろ過面部の清浄更新の都度、汚染空気の通過が良くなり、ろ材の捕集効率の低下が生じて細かなダストが通過する懸念があった。そのため、これを防ぐ目的でより捕集効率の高いろ材を使用せざるを得なかったが、ますまする過面部の目詰まりが早まり、清浄を頻繁に行わねばならないといった問題が生じていた。
【発明の概要】
【発明が解決しようとする課題】
【０００４】  本発明は上記のような問題点を解決しょうとしたもので、まず本発明の目的は、ろ過面部の清浄更新の際に生じるろ材の捕集効率の低下を防止しょうとしたものである。【０００５】  また、本発明の目的は、ろ過面部の通過風量の低下、変動を防止しょうとしたものである。【０００６】  さらに、本発明の目的は、ろ材再生駆動部の損傷を削減し、部品寿命の向上を図ろうとしたものである。【０００７】  さらに、本発明の目的は、ろ過面部の清掃時期を延ばしてランニングコストなどの維持費削減を狙うと共にろ材の寿命が長寿命となるようにしたものである。
【課題を解決するための手段】
【０００８】  本発明の解決手段は、装置本体の前後方向に開口する通風部にその全面を遮るようにろ材をセットし、ろ過面部で前方から送通される汚染空気ろ過集塵を行うようにしたものである。【０００９】  本発明のもう一つの解決手段は、ろ材のろ過面部の圧損抵抗が所定値以上に上昇、若しくは所定の再生タイマーセット時間に達したら、装置本体の通風部前面側に付設したろ材再生駆動部の再生口を上下・左右に移動しながら、ろ材のろ過面部の捕集ダストを除去清掃してろ材の寿命を延ばすようにしたものである。【００１０】  本発明のもう一つの解決手段はろ過面部全体の捕集ダストの除去清掃を数日〜数週間に１回の割合で行うようにしたものである。【００１１】  本発明のもう一つの解決手段はろ過面部全体の捕集ダストの除去清掃を数日〜数週間に１回の割合で再生運転、運転停止、除去清掃、運転停止、再生運転を細切れで行うようにしたものである。【００１２】  ここで、装置本体の前後方向に開口する通風部にその全面を遮るようにしたろ材は特に限定されるものではないが、たとえばポリエステル、ポリアミド、ポリエチレン、レーヨン、塩化ビニリデンなどの合成繊維の織布あるいは不織布あるいはガラス繊維を網目構造の基布に網み立て植毛し、パイルが抜け落ちないようにアクリルなどのバインダーで固定するか、または電気植毛などでパイルを植え付け固定したものが使用される。【００１３】  ろ材再生駆動部はろ材の通風部前面上を這うように走行するダスト再生口とダスト再生口を搭載した再生フレームと再生フレームを上下動させる駆動モーターとダスト再生口を左右方向に移動させるテンションスプロケットと駆動モーターと再生フレームを連動させるドライブチエーンとから構成されている。【００１４】  そしてその作用は次の通りである。すなわち空調機の吸気運転により吸入される汚染空気中のダストはろ材で捕集され清浄空気として装置本体を通過する。
このような運転を繰り返すことによりろ材表面にダストが堆積し圧損抵抗の上昇が生じてくる。ろ材のろ過面部の圧損抵抗が所定値以上に上昇したら、若しくは所定の再生タイマーセット時間に達したら、装置本体の通風部前面側に付設したろ材再生駆動部の再生口を上下・左右に移動しながらろ過面部の捕集ダストを除去するように吸引除去される。【００１５】  そして、本発明では、ろ過面部全体の捕集ダストの除去清掃を数日〜数週間に１回の割合となるように、再生運転、運転停止、除去清掃、運転停止、再生運転を細切れで行うようにしたので、ろ過面部の清浄更新の際に生じるろ材の捕集効率の低下やろ過面部の通過風量の低下を防止できるものである。【００１６】  さらに、ろ材再生駆動部の作動時間を短くしたので、ろ材再生駆動部の損傷を削減し、部品寿命の向上が図れるものである。【００１７】  また、ろ過面部の清掃時期を延ばしたので、ランニングコストなどの維持費削減が図れる共にろ材の寿命が長寿命となるものである。
【発明の効果】
【００１８】（１）ろ過面部の圧損抵抗の急激な上昇を抑え、常時通風運転を可能にしたので、ろ過面部の清浄更新時に生じるろ材の捕集効率の低下やろ過面部の通過風量の低下を防止できる。
（２）ろ材再生駆動部の損傷を削減し、部品寿命の向上が図れるものである。
（３）ランニングコストなどの維持費削減が図れる共にろ材の寿命が長寿命となる。
（４）ろ材の堆積粉じん層確保での捕集効率を向上したので、ろ過面部の後方を通過した清浄空気中にはダストの粒径はより細かなものとなっている上ダスト量もかなり少なくなっているので後段に設置した機器の保護による機器の長寿命化および熱効率などの性能維持を果たすことができる。
【図面の簡単な説明】
【００１９】
【図１】本発明を示す正面図である。
【図２】図１のＡ矢視からみた側面図である。
【図３】本発明を示す背面図である。
【図４】本発明のろ材再生方法による運転時および従来のろ材再生方法による運転時に測定した質量法捕集率と圧力損失の測定結果を示す表。
【発明を実施するための形態】
【００２０】まず、自動再生式エアフィルタの構造について図１〜３を参照して説明する。
１は自動再生式エアフィルタの装置本体を示し、この装置本体１は全体が縦型で前後幅の狭いＵチャンネル枠状をなし、その中央部が前後方向に大きく開口する通風部とされている。この装置本体１の後面側に網目状の基布に繊維径１５〜４０μｍ長さ１５ｍｍ程度の繊維を織毛によって織り込んだろ材が貼り付け固定されている。さらにろ材の下流側にはろ材が気流によって吹き飛ばされるのを防止する網目状の金具すなわちグレーチングが取り付けられている。
【００２１】  装置本体１の通風部の前面側に上下、左右に移動しながらろ材に付着したダスト除去を行うろ材再生駆動部が付設されている。
【００２２】  すなわち、装置本体１の通風部の前面両側２に再生フレームドライブチエーン３ａ，３ｂ，再生口ドライブチエーン３ｃが掛装されている。そして再生フレームドライブチエーン３ａ，３ｂ，再生口ドライブチエーン３ｃが一連の状態で往復回転するようになっている。さらにダスト再生口４が前記再生口ドライブチエーン３ｃと連結した状態で配設されて、このダスト再生口４は再生口ドライブチエーン３ｃの往復回転により左右方向に移動せしめられる構成となっている。また、ダスト再生口４はタイマにより起動されるノズル駆動装置（図示せず）によって起動され、ろ材に捕集されたダストは吸引除去される。そしてダスト再生口４はフレキシブルホース５を介してサイクロンまたは小型バッグなどの再生集塵機（図示せず）に接続されている。
【００２３】  次に、本発明の自動再生式エアフィルタのろ材再生方法の実施例と従来方法の比較例についてそれぞれ詳細に説明する。
【実施例】
【００２４】  まず、自動再生式エアフィルタの運転により、装置本体１の前方から通風部に送通される汚染空気はろ材のろ過面部によりろ過集塵され汚染空気中のダストがろ過面部に捕集される。一方、清浄化された空気は後方に通過して行き清浄空気として放出される。こうした集塵稼動中ろ材のろ過面部の圧損抵抗が所定値以上に上昇、若しくは所定の再生タイマーセット時間に達した時点で、ろ過面部全体の捕集ダストの除去清掃を数日〜数週間に１回の割合でろ材再生駆動部の再生口を上下・左右に移動しながら、再生運転、運転停止、除去清掃、運転停止、再生運転を細切れで繰り返し行うようになっている。【００２５】  上記に述べた運転方法は４分再生、２分停止、１分払い落とし、２分停止を繰り返し、１４日間かけてろ過面部の再生を行い、質量法捕集率と圧力損失の測定を行った。結果は図４に示す如くであった。
【比較例】
【００２６】  実施例と同じ自動再生式エアフィルタを用い、ろ過面部全体の捕集ダストの除去清掃を１時間の割合でＩ日に２回行うようにした従来の運転方法による運転時の質量法捕集率と圧力損失の測定を行った。結果は図４に示す如くであった。
【００２７】  以上述べた如く図４のグラフから分かるとおり、本発明の運転方法は従来の運転方法に比べ、清浄更新時に生じるろ材の捕集効率の低下はなく、圧力損失の急激な上昇が抑えられていることが明白である。
【００２８】  なお、上記実施例では１実施例を述べただけで、これに限定されることなく種々変更しても何ら本発明の要旨を変更するものではない。
【産業上の利用可能性】
【００２９】  本発明は装置本体の通風部前面側に付設したろ材再生駆動部の再生口を上下・左右に移動しながらろ材のろ過面部の捕集ダストを除去清掃する自動再生式エアフィルタにおいて、本発明の新規な運転方法でろ過面部の清浄更新の際に生じるろ材の捕集効率の低下やろ過面部の通過風量の低下を防止できるようにしたもので実用上甚だ大なるものである。
【符号の説明】
【００３０】１・・・装置本体      ２・・・前面両側
３ａ，３ｂ・・・再生フレームドライブチエーン
３ｃ・・・再生口ドライブチエーン    ４・・・ダスト再生口
５・・・フレキシブルホース
【図１】
2012045535.tif 000003
【図２】
2012045535.tif 000004
【図３】
2012045535.tif 000005
【図４】
2012045535.tif 000006